(57)【要約】【課題】衣服を全て脱がずとも着脱が可能であるとともに、着用したままでおむつの上げ下げを容易に行うことができ、更に、おむつの上げ下げや、衣服等の着脱を行ったとしても、おむつを固定する止着部分が剥がれることのない使い捨ておむつを提供する。【解決手段】前身頃２、股下部３及び後身頃４の各部から構成され、吸収体１１と、トップシート１２と、バックシート１３と、後身頃４の左右の側縁４ａ，４ｂから少なくとも１つずつ延出された、後身頃４と前身頃２とを固定する第一止着部２１を有する止着テープ１４と、前身頃２に付設された、止着テープ１４を止着する止着領域１５と、後身頃４の腰周り方向Ｘに沿って配設された、複数の腰周り伸縮材１６とを、備えた使い捨ておむつ１であって、更に、止着領域１５に止着した止着テープ１４を被覆するためのカバー１７を備えた使い捨ておむつ１。【選択図】図１
2008061871.tif 000002
【特許請求の範囲】
【請求項１】
前身頃、股下部及び後身頃の各部から構成され、
吸収体と、前記吸収体の表面を被覆するように配設された、少なくとも一部が液透過性材料からなるトップシートと、前記吸収体の裏面を被覆するように配設された、液不透過性材料からなるバックシートと、前記後身頃の左右の側縁から少なくとも１つずつ延出された、前記後身頃と前記前身頃とを固定する第一止着部を有する止着テープと、前記前身頃に付設された、前記止着テープを止着する止着領域（第一止着領域）と、前記後身頃の腰周り方向に沿って配設された、複数の腰周り伸縮材とを、備えた使い捨ておむつであって、
更に、前記止着領域に止着した前記止着テープを被覆するためのカバーを備えた使い捨ておむつ。
【請求項２】
前記止着テープは、前記第一止着部が設けられた面の裏面に、前記止着テープと前記カバーとを固定する第二止着部を更に有するものである請求項１に記載の使い捨ておむつ。
【請求項３】
前記カバーは、前記第二止着部を止着する領域（第二止着領域）を有するものである請求項２に記載の使い捨ておむつ。
【請求項４】
前記第二止着部の前記第二止着領域への止着力が、前記第一止着部の前記第一止着領域への止着力よりも小さくなるように構成されている請求項３に記載の使い捨ておむつ。
【請求項５】
前記止着テープは、その先端側の部分に、前記止着領域に止着されない非止着部位からなる摘み部を更に有するものである請求項１〜４のいずれか一項に記載の使い捨ておむつ。
【請求項６】
前記カバーは、その端部に、前記カバーを前記前身頃、前記股下部又は前記後身頃のいずれかに固定するための止着部（カバー固定用止着部）を有するものである請求項１〜５のいずれか一項に記載の使い捨ておむつ。
【請求項７】
前記カバーは、前記前身頃の端縁から延出され、前記股下部方向に折り返して前記止着テープを被覆するものである請求項１〜６のいずれか一項に記載の使い捨ておむつ。
【請求項８】
前記カバーは、前記前身頃の前記止着領域より前記股下部側に付設され、おむつの下側から前記止着テープを被覆するものである請求項１〜６のいずれか一項に記載の使い捨ておむつ。
【請求項９】
前記カバーは、前記前身頃の左右方向の中央部に少なくとも２つ付設され、前記前身頃の側縁方向に折り返して前記止着テープを被覆するものである請求項１〜６のいずれか一項に記載の使い捨ておむつ。
【発明の詳細な説明】
【技術分野】
【０００１】
本発明は、使い捨ておむつに関する。更に詳しくは、衣服を全て脱がずとも着脱が可能であるとともに、着用したままでおむつの上げ下げを行うことが可能な使い捨ておむつに関する。
【背景技術】
【０００２】
近年、乳幼児用、或いは高齢者・障害者用のおむつとして、パンツ型おむつやテープ型おむつ等の使い捨ておむつが用いられている。例えば、パンツ型おむつは、図９に示すように、前身頃１０２、股下部１０４及び後身頃１０６の各部から構成され、前身頃１０２と後身頃１０６の対応する側縁部同士が接合されて、一つのウエスト周り開口部１０８と一対の脚周り開口部１１０が形成されたものである。そして、ウエスト周り開口部１０８と脚周り開口部１１０に沿って、糸ゴム等の伸縮材を配置する構成が一般的である。このようなパンツ型の使い捨ておむつ１００は、ウエスト周りの伸縮性に優れているため、トイレでの排泄の際に、通常のパンツと同様におむつを膝付近まで下げて対応することができる。
【０００３】
このようなパンツ型の使い捨ておむつ１００は、前身頃１０２と後身頃１０６とを連結する側縁部のヒートシール部１１２を破くことで、簡単に脱がすことができるが、新たに着用する際には、ズボン等を全て脱いでから履き直す必要があり、非常に手間が掛かるものであった。
【０００４】
一方、テープ型おむつは、例えば、図１０に示すように、吸収体１２２とトップシート１１８とバックシート１２０とを備えるとともに、前身頃１０２、股下部１０４及び後身頃１０６の各部から構成されており、後身頃１０６の左右の各側縁１０６ａ，１０６ｂから延出するように配置され、前身頃１０２と後身頃１０６とを固定するための止着テープ１０９を更に備えた使い捨ておむつ１０１である。このようなテープ型の使い捨ておむつ１０１は、衣服を全て脱がずとも着脱可能ではあるが、ウエスト周りの伸縮性に乏しいため、トイレでの排泄の際には、おむつを下ろす等の動作に対応することができない。このため、トイレでの排泄を自ら行うこともできる着用者にとっては、排泄時に一度おむつを取り外さなければならず、非常に不便であった。
【０００５】
このようなことから、衣服を全て脱がなくとも着脱が可能であるとともに、着用したままでおむつの上げ下げを行うことができる使い捨ておむつが提案されている（例えば、特許文献１〜３参照）。
【０００６】
例えば、特許文献１の使い捨ておむつは、図１１に示すように、前腹部１４２と、この前腹部１４２の両脇線部１４７で接合されて連なる後背部１４３と、この後背部１４３の股下方向に連なる延出部１４４とからなる使い捨ておむつ１０２であり、延出部１４４が股下から前腹部１４２に至る長さで、この前腹部１４２と着脱自在であり、前腹部１４２が左右に分離可能なものである。
【０００７】
また、特許文献２の使い捨ておむつは、図示は省略するが、前身頃部が右前腹部と左前腹部とに分かれ、これら左／右前腹部の肌側面の鈎型係合部材（第１の着脱域）が延出部の表側面（第２の着脱域）に着脱自在に取り付けられるものであり、更に延出部は外側に折り返されて鈎型係合部材（第３の着脱域）がバック用不織布（第４の着脱域）に着脱自在に取り付けられるものである。
【０００８】
また、特許文献３の使い捨ておむつは、図示は省略するが、略環状に連なる前腹部及び後背部と、その前腹部及び後背部間に連なって設けられる股部とを備え、股部に吸収体が設けられ、前腹部における股部が連なる部分の左右両側に前腹部を破断するための左右の破断部が形成された使い捨てパンツであって、前腹部の外面側における左右の破断部の間に位置する中間領域内の少なくとも一部に、第１付着部を設け、前腹部における左右の破断部よりも左右方向外方側の部分に接合された左右の付着片を設け、左右の付着片に、第１付着部に対して着脱される第２付着部をそれぞれ設け、各付着片の少なくとも自由端側の部分が、分割ラインによって複数の部分に分割可能とされているものである。
【０００９】
【特許文献１】特開２００５−２３０３１３号公報
【特許文献２】特開２００５−１９２６７０号公報
【特許文献３】特開２００６−３４４０２号公報
【発明の開示】
【発明が解決しようとする課題】
【００１０】
しかしながら、特許文献１の使い捨ておむつは、前腹部の分離部分に着脱部位（係合部材）が直接形成されているため、前腹部の着脱が極めて困難であるという問題があった。また、上記した着脱部分の剛性が高すぎて、着用者が腹部を折り畳むような動作を行った際に追従しないため、着用感が極めて悪いという問題もあった。また、ウエスト近傍から脚周り近傍まで一律の係合部であるため、腹周りや脚周りの寸法に合わせて、引張りや止着具合、位置などを調節することが不可能であった。
【００１１】
特許文献２の使い捨ておむつにおいても、前腹部の分離部分に着脱部位が直接形成されているため、前腹部の着脱が極めて困難であるという問題があった。また、前腹部の着脱部位が吸収性本体の幅方向中心に集中しているため、吸収性本体の安定が悪く、着用感が悪いという問題があった。また、着脱部位が前腹部の中心にも集中しているため、着脱部位の剛性が高くなってしまい、着用者の姿勢によっては腹部を圧迫してしまうという問題もあった。また、このような使い捨ておむつは、着脱部位をターゲットゾーンに目標通りに止着させることが難しく、おむつにずれができ易く、漏れの原因になるという問題もあった。また、ウエスト近傍から脚周り近傍まで一律の係合部であるため、腹周りや脚周りの寸法に合わせて、引張りや止着具合、位置などを調節することが不可能であった。
【００１２】
また、特許文献３の使い捨ておむつは、上記した特許文献１及び２の使い捨ておむつと比較して装着感がよくなっているが、おむつを上げ下げする際や、衣服等を着脱する際に、張出し部に衣服や体の一部が引っ掛かってしまい、張出し部が容易に剥がれてしまうという問題があった。また、このような張出し部は、上下方向や斜め方向からの応力に対して極めて剥がれ易くなっているため、着用者が体を捻るような動作等を行った際にも張出し部が簡単に剥がれてしまうことがある。
【００１３】
本発明は、このような従来技術の課題を解決するためになされたものであって、衣服を全て脱がずとも着脱が可能であるとともに、着用したままでおむつの上げ下げを容易に行うことができる使い捨ておむつにおいて、良好な装着感を有するとともに、おむつにずれができ難く、漏れが有効に防止されており、更に、おむつの上げ下げや、衣服等の着脱を行ったとしても、おむつを固定する止着部分が剥がれることのない使い捨ておむつを提供するものである。
【課題を解決するための手段】
【００１４】
本発明者らは、前記のような従来技術の課題を解決するために鋭意検討した結果、本発明を完成させた。具体的には、本発明により、以下の使い捨ておむつが提供される。
【００１５】
［１］  前身頃、股下部及び後身頃の各部から構成され、吸収体と、前記吸収体の表面を被覆するように配設された、少なくとも一部が液透過性材料からなるトップシートと、前記吸収体の裏面を被覆するように配設された、液不透過性材料からなるバックシートと、前記後身頃の左右の側縁から少なくとも１つずつ延出された、前記後身頃と前記前身頃とを固定する第一止着部を有する止着テープと、前記前身頃に付設された、前記止着テープを止着する止着領域（第一止着領域）と、前記後身頃の腰周り方向に沿って配設された、複数の腰周り伸縮材とを、備えた使い捨ておむつであって、更に、前記止着領域に止着した前記止着テープを被覆するためのカバーを備えた使い捨ておむつ。
【００１６】
［２］  前記止着テープは、前記第一止着部が設けられた面の裏面に、前記止着テープと前記カバーとを固定する第二止着部を更に有するものである前記［１］に記載の使い捨ておむつ。
【００１７】
［３］  前記カバーは、前記第二止着部を止着する領域（第二止着領域）を有するものである前記［２］に記載の使い捨ておむつ。
【００１８】
［４］  前記第二止着部の前記第二止着領域への止着力が、前記第一止着部の前記第一止着領域への止着力よりも小さくなるように構成されている前記［３］に記載の使い捨ておむつ。
【００１９】
［５］  前記止着テープは、その先端側の部分に、前記止着領域に止着されない非止着部位からなる摘み部を更に有するものである前記［１］〜［４］のいずれかに記載の使い捨ておむつ。
【００２０】
［６］  前記カバーは、その端部に、前記カバーを前記前身頃、前記股下部又は前記後身頃のいずれかに固定するための止着部（カバー固定用止着部）を有するものである前記［１］〜［５］のいずれかに記載の使い捨ておむつ。
【００２１】
［７］  前記カバーは、前記前身頃の端縁から延出され、前記股下部方向に折り返して前記止着テープを被覆するものである前記［１］〜［６］のいずれかに記載の使い捨ておむつ。
【００２２】
［８］  前記カバーは、前記前身頃の前記止着領域より前記股下部側に付設され、おむつの下側から前記止着テープを被覆するものである前記［１］〜［６］のいずれかに記載の使い捨ておむつ。
【００２３】
［９］  前記カバーは、前記前身頃の左右方向の中央部に少なくとも２つ付設され、前記前身頃の側縁方向に折り返して前記止着テープを被覆するものである前記［１］〜［６］のいずれかに記載の使い捨ておむつ。
【発明の効果】
【００２４】
本発明によれば、衣服を全て脱がずとも着脱が可能であるとともに、着用したままでおむつの上げ下げを容易に行うことができる使い捨ておむつを提供することができる。特に、本発明の使い捨ておむつは、良好な装着感を有するとともに、おむつにずれができ難く、漏れが有効に防止されており、更に、おむつの上げ下げや、衣服等の着脱を行ったとしても、おむつを固定する止着部分（止着テープ）が外れ難くなっている。
【発明を実施するための最良の形態】
【００２５】
以下、本発明を実施するための最良の形態を具体的に説明するが、本発明は以下の実施形態に限定されるものではなく、本発明の趣旨を逸脱しない範囲で、当業者の通常の知識に基づいて適宜設計の変更、改良等が加えられることが理解されるべきである。
【００２６】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分及びこの背側を覆う部分から腰周り方向に延出された腰周りを覆う部分を意味するものとする。
【００２７】
［１］本発明の使い捨ておむつの構成：
図１は、本発明の使い捨ておむつの一の実施形態を示す平面図であり、おむつの吸収性本体側から見た状態を示す図である。図２は、図１に示す使い捨ておむつを着用した状態を示す正面図である。また、図３は、本発明の使い捨ておむつの一の実施形態を示す概略断面図であり、図１に示す使い捨ておむつをＡ−Ａ’線に沿って切断した断面を示す概略断面図である。
【００２８】
図１〜図３に示すように、本発明の使い捨ておむつ１は、前身頃２、股下部３及び後身頃４の各部から構成され、吸収体１１と、吸収体１１の表面を被覆するように配設された、少なくとも一部が液透過性材料からなるトップシート１２と、吸収体１１の裏面を被覆するように配設された、液不透過性材料からなるバックシート１３と、後身頃４の左右の側縁４ａ，４ｂから少なくとも１つずつ延出された、後身頃４と前身頃２とを固定する第一止着部２１を有する止着テープ１４と、前身頃２に付設された、止着テープ１４を止着する止着領域１５（以下、「第一の止着領域」ということがある）と、後身頃４の腰周り方向Ｘに沿って配設された、複数の腰周り伸縮材１６とを、備えた使い捨ておむつ１であって、更に、止着領域１５に止着した止着テープ１４を被覆するためのカバー１７を備えた使い捨ておむつ１である。なお、図１〜図３に示す使い捨ておむつ１においては、トップシート１２、バックシート１３及び吸収体１１を、吸収・保持機能を担う吸収性本体９という一つの部材として構成している。
【００２９】
本発明の使い捨ておむつ１は、後身頃４の左右の側縁４ａ，４ｂから少なくとも１つずつ延出された、後身頃４と前身頃２とを固定する第一止着部２１を有する止着テープ１４と、前身頃２に付設された、止着テープ１４を止着する止着領域１５とを備えていることから、従来のテープ型おむつ（例えば、図１０参照）のように、衣服を全て脱がずともおむつの着脱が可能であるとともに、後身頃４と前身頃２とを固定する際の締め付け力を着用者の体形に応じて適宜調整することができ、おむつの装着感を向上させることができる。また、本発明の使い捨ておむつ１は、後身頃４の腰周り方向Ｘに沿って配設された、複数の腰周り伸縮材１６を備えていることから、着用状態においては、従来のパンツ型おむつ（例えば、図９参照）のように、腰周りの伸縮性に優れており、トイレでの排泄の際等には、通常のパンツと同様におむつを膝付近まで下げて対応することができる。
【００３０】
更に、本発明の使い捨ておむつ１は、止着領域１５に止着した止着テープ１４を被覆するためのカバー１７を更に備えたものであるため、おむつの上げ下げや、衣服等の着脱を行ったとしても、おむつの止着部分（止着テープ１４）が外れることがなく、安心しておむつを着用することができる。また、本発明の使い捨ておむつ１は、良好な装着感を有するとともに、おむつにずれができ難く、漏れが有効に防止されている。
【００３１】
［１−１］止着テープ：
本発明の使い捨ておむつに用いられる止着テープは、後身頃の左右の側縁から少なくとも１つずつ延出された、後身頃と前身頃とを固定する第一止着部を有するものである。図１及び図２に示す本発明の使い捨ておむつ１においては、後身頃４の左右の側縁４ａ，４ｂから延出された基材２５の表面に、上記した第一止着部２１が付設された止着テープ１４を備えている。この止着テープ１４を前身頃２に配置された止着領域１５に止着することにより、ウエスト周り開口部２７と、一対の脚周り開口部２６ａ，２６ｂとが形成されて、おむつ全体をパンツ型とすることができ、着用者におむつを装着させることが可能となる。また、この止着テープ１４は着脱が可能であるため、衣服を全て脱がずともおむつの着脱が可能であるとともに、後身頃４と前身頃２とを固定する際の締め付け力や止着位置を着用者の体形に応じて適宜調整することができ、おむつの装着感を向上させることができる。
【００３２】
更に、本発明の使い捨ておむつ１においては、止着領域１５に止着した止着テープ１４がカバー１７によって被覆されるため、おむつの上げ下げや、衣服等の着脱を行ったとしても、止着テープ１４が外れることがなく、安心しておむつを着用することができる。
【００３３】
この第一止着部２１としては、例えば、メカニカルファスナーのフック材や、粘着剤からなる粘着層を挙げることができ、特に、メカニカルファスナーのフック材を好適に用いることができる。上記した「メカニカルファスナー（面状ファスナーとも称される）」とは、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このファスナーは、ループ材の表面にフック材を重ね合わせ、フック材の多数の突起をループ材の表面に係合させることにより、両部材を剥離可能な状態に、かつ、強固に固着させることができるものである。
【００３４】
第一止着部２１を付設するための基材２５については特に制限はなく、従来のテープ型おむつに用いられている止着テープ用の基材、例えば、プラスチックフィルムや、織布、不織布、フェルト等の布材からなる基材を用いることができる。
【００３５】
また、本発明の使い捨ておむつ１においては、図８に示すように、この止着テープ１４が、第一止着部２１が設けられた面の裏面に、止着テープ１４とカバー１７（図１参照）とを固定する第二止着部２２を更に有するものであることが好ましい。これにより、おむつに対する止着テープ１４の止着面積を増加させることができるとともに、止着テープ１４の両面を用いておむつに止着することができるため、より強固に止着テープ１４を固着させることが可能となる。また、着用者が体を捻るような動作等を行った際にも、止着領域１５（図１参照）に止着した止着テープ１４がより剥がれ難くなる。ここで、図８は、本発明の使い捨ておむつの他の実施形態を示す一部拡大側面図であり、止着テープを拡大して示す図である。なお、図８においては、止着テープ１４の第一止着部２１と第二止着部２２として、メカニカルファスナーのフック材を用いた例を示している。
【００３６】
また、本発明の使い捨ておむつにおいては、この止着テープ１４が、その先端側の部分に、止着領域１５（図１参照）に止着されない非止着部位からなる摘み部２３を更に有するものであることが好ましい。このように構成することによって、止着テープ１４の着脱を容易に行うことができる。この摘み部２３は、例えば、基材２５の先端側の部分に第一止着部２１を設けずにおくことによって形成することができる。例えば、特許文献１及び２に示すような従来の使い捨ておむつは、前腹部の分離部分に着脱部位（係合部材）が直接形成されているため、着け外しを行う際の摘み部が形成されておらず、前腹部の着脱が極めて困難であるという問題があった。
【００３７】
止着テープの表裏面の第一止着部と第二止着部とのそれぞれの接合方法は、同一の方法であってもよいし、異なる方法であってもよい。例えば、一方の接合方法として、粘着剤による接合方法を用い、他方の接合方法として、メカニカルファスニングシステム（面状ファスナー）による接合方法を用いてもよい。なお、図１においては、後身頃４の左右に、連続した２つの止着部分を有する止着テープ１４が配置されているが、止着テープの止着部分は非連続に形成されたものであってもよい。また、連続した２つの止着部分を有する止着テープにおいて、その略中央に切り離し線が設けられていてもよい。なお、連続した２つの止着部分を有する止着テープを用いる場合には、図１に示すように、Ｓ字カットされたものであることが好ましい。
【００３８】
［１−２］止着領域：
止着領域は、上記した止着テープを止着する領域のことである。図１〜図３に示す使い捨ておむつ１は、後身頃４の左右の側縁４ａ，４ｂから延出された止着テープ１４を、着用者の脇腹を経由して前腹部側にて固定する構成のものであるため、止着領域１５は前身頃２の表面に形成されている。
【００３９】
この止着領域１５は、止着テープ１４の第一止着部２１を止着することが可能なものであれば、その材質については特に制限はないが、例えば、止着テープ１４の第一止着部２１がメカニカルファスナーのフック材である場合には、メカニカルファスナーのループ材からなるフロントパッチ等を用いることができる。また、メカニカルファスナーのフック材は、これと対応するメカニカルファスナーのループ材以外にも、織布、不織布、フェルト、パイル等の繊維状の表面を有する素材にも係合させることが可能であるので、メカニカルファスナーのループ材に代えて、これらの素材からなるシート材を用いて止着領域１５を形成することができる。例えば、使い捨ておむつ１を構成する吸収性本体９や外装部材２０の着用者の着衣側に位置する面を、上記した素材から形成することにより、この吸収性本体９や外装部材２０を止着領域１５とすることも可能である。
【００４０】
また、止着テープ１４の第一止着部２１が粘着剤からなる粘着層である場合には、この粘着層を止着することが可能な、その表面に粘着剤が剥離可能なコーティング処理を行ったフィルム等を用いることができる。
【００４１】
なお、止着領域１５の大きさや形状については特に制限はないが、着用者の体形に応じて、止着テープ１４の止着位置を調整することができるように、着用者の前腹部側に比較的広い範囲で形成されていることが好ましい。具体的な止着領域１５の大きさ（縦横の長さ）としては、１００ｍｍ×１００ｍｍ〜２００ｍｍ×２００ｍｍの範囲であることが好ましい。なお、止着領域１５の縦横の長さは、同一であってもよいし、異なっていてもよい。このような止着領域（第一の止着領域）は、吸収性本体より延出した領域に形成されていてもよいが、その少なくとも一部が吸収性本体上に形成されていることが好ましく、その主要な部分、即ち、実際に止着テープが止着される部分が吸収性本体上に形成されていることが更に好ましい。このように止着領域が吸収性本体上に形成されていることにより、止着領域にコシができて、止着テープを安定して接合することが可能となる。
【００４２】
［１−３］カバー：
本発明の使い捨ておむつに用いられるカバーは、止着領域に止着した止着テープを被覆するためのものである。図１〜図３に示す使い捨ておむつ１に用いられるカバー１７は、前身頃２の端縁２ａから延出され、股下部３方向に折り返して止着テープ１４を被覆するものである。図１に示す使い捨ておむつ１においては、前身頃２の端縁２ａとカバー１７との境界部分に形成された折り返し線３１によって折り返され、止着テープ１４を被覆するように構成されている。
【００４３】
このようなカバー１７を構成する素材としては、例えば、織布、不織布、フェルト、バイルの繊維状の素材や、プラスチックフィルムやフィルムと繊維状素材を組み合わせたもの等を挙げることができる。なお、このカバーは、腹部側に配置された止着領域の素材と同一のものであってもよいし、異なるものであってもよい。例えば、このカバーに、単なる止着領域を覆うのみの役割を持たす場合は、スパンボンドやＳＭＳ（スパンボンド／メルトブロー／スパンボンド）等の素材を用いることが、強度や風合いの面で好ましい。
【００４４】
また、このようなカバーを構成するシートの幅については、止着領域に止着した止着テープを被覆することが可能な大きさであればよく、例えば、バックシートよりも幅広に形成されたものであってもよい。
【００４５】
なお、上記したように、止着テープ１４として、第一止着部２１が設けられた面の裏面に、第二止着部２２を更に有するものを用いた場合には、このカバー１７は、第二止着部２２を止着する領域（以下、「第二止着領域２８」ということがある）が形成されていることが好ましい。このようにして、止着テープ１４の両面で止着を行う場合は、止着テープ１４との接合に適した素材をカバー１７として選択する必要がある。例えば、止着テープ１４の外側面（第一止着部２１が設けられた面の裏面）にフック材が配置されている場合は、カバー１７として、織布とフィルムの貼り合わせであるループ材やエアースルーの不織布等を好適に用いることができる。また、エアースルーの不織布は単体で用いてもよいが、スパンボンドやＳＭＳと貼り合わせたシートを用いてもよい。このように貼り合わせたシートは、変形が少なく、強度も高くなるという利点がある。また、止着テープ１４の外側面（第一止着部２１が設けられた面の裏面）に粘着剤が配置されている場合は、カバー１７として、剥離処理を行ったフィルムを用いることができる。このようなフィルムを用いる場合には、風合いをよくするために、着用時におむつの外側となる面に不織布を貼り合わせたものを用いてもよい。
【００４６】
また、本発明の使い捨ておむつにおいては、このように第二止着部２２と第二止着領域２８とが形成されている場合には、第二止着部２２の第二止着領域２８への止着力（第二止着部２２を引き剥がすのに要する力）と、第一止着部２１の止着領域１５（第一の止着領域）への止着力（第一止着部２１を引き剥がすのに要する力）とが略同一であってもよいが、これらの止着力が異なっていてもよい。なお、止着力が異なる場合には、第二止着部２２の第二止着領域２８への止着力（第二止着部２２を引き剥がすのに要する力）が、第一止着部２１の止着領域１５（第一の止着領域）への止着力（第一止着部２１を引き剥がすのに要する力）よりも小さくなるように構成されていることが好ましい。このように構成することによって、カバー１７を引き剥がした際に止着テープ１４が引き剥がされることがなく、確実に、カバー１７と止着テープ１４とを順次に引き剥がすことができる。
【００４７】
本発明の使い捨ておむつにおいては、止着テープ１４を構成する第一止着部２１と第二止着部２２とは同一種類の接合手段であってもよいが、例えば、第二止着部２２の第二止着領域２８への止着力と、第一止着部２１の第一止着領域１５への止着力とを異なるものとする際には、第一止着部２１と第二止着部２２との接合面積を異なるようにしたり、メカニカルファスナーのフック材等を用いた場合には、フック材を構成するピンの形状、その高さや密度等を変化させてもよい。
【００４８】
また、このカバー１７は、止着領域１５の任意の位置に止着した止着テープ１４を被覆するものであるため、止着テープ１４の止着位置が変化した場合にも対応することができるように、止着領域１５全体を被覆することができる大きさのものであることが好ましい。
【００４９】
また、カバー１７は、その端部に、カバー１７を前身頃２、股下部３又は後身頃４のいずれかに固定するための止着部（カバー固定用止着部２４）を有するものであることが好ましい。このように構成することによって、カバー１７自体の剥離を抑制することができ、止着テープ１４を良好に被覆することができる。なお、カバー固定用止着部２４は、例えば、上記した第一止着部２１を構成するメカニカルファスナーのフック材や、粘着剤からなる粘着層を好適に用いることができる。このように構成することによって、例えば、カバー固定用止着部２４を、止着領域１５の一部や、織布、不織布、フェルト、パイル等の繊維状の表面を有する素材からなる吸収性本体９や外装部材２０に固定することができ、カバー固定用止着部２４を止着する領域を別途設ける必要がなくなり、カバー１７を固定する部位の構成を簡素化することができる。
【００５０】
また、図１〜図３に示す使い捨ておむつ１においては、このカバー１７が、前身頃２の端縁２ａから延出され、股下部３方向に折り返して止着テープ１４を被覆するものであるが、例えば、図６に示すように、カバー１７が、前身頃２の止着領域１５より股下部３側に付設され、おむつの下側から止着テープ１４を被覆するものであってもよいし、又は、図７に示すように、カバー１７が、前身頃２の左右方向の中央部に少なくとも２つ（図７においては２つ）付設され、前身頃２の側縁方向に折り返して止着テープ１４を被覆するものであってもよい。このように、カバー１７を付設する位置については特に制限はなく、止着領域１５に止着した止着テープ１４を被覆することができるものであればよい。ここで、図６及び図７は、本発明の使い捨ておむつの他の実施形態を着用した状態を示す正面図である。
【００５１】
図６に示す使い捨ておむつ１は、カバー１７が、前身頃２の端縁２ａから延出されたものではないため、止着テープ１４を止着領域１５に止着する際に、カバー１７が邪魔にならず、止着が容易である。また、図７に示す使い捨ておむつ１は、止着テープ１４の止着位置や締め付け力を調整する際に、左右方向の一方のカバー１７のみを引き剥がし、他方のカバー１７はそのままの状態で調整を行うことができる。このため、このような調整時において、止着テープ１４が全て剥がれてしまうことがなく、おむつが外れてしまうのを有効に防止することができる。また、図６のように、カバー１７が、第一止着部２１よりもおむつの股下部３側に配置されている場合は、カバー１７が予め吸収性本体９の股下領域に仮接着されていることが好ましい。このように仮接着することで、おむつ製造時にカバーが折れ曲がった状態で畳まれてしまうことを防止することができるとともに、おむつを装着する際にもカバーが邪魔にならないという利点がある。仮接着は、再接着が可能なホットメルト接着剤によって行われていることが好ましい。このような仮接着は、カバーの一部が吸収性本体に接着されていればよい。なお、図１や図７に示すような使い捨ておむつにおいても、製造時や装着時においてカバーが邪魔になれないように、おむつの一部（例えば、吸収性本体や外装部材）に仮接着されていてもよい。
【００５２】
［１−４］吸収体：
吸収体は、着用者の尿を吸収し、保持するための部材である。吸収体は、着用者の尿や体液を吸収し保持する必要から、吸収性材料によって構成される。
【００５３】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として、熱融着繊維等の合成繊維を含んだものであってもよい。
【００５４】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００５５】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。吸収体は、トップシートとバックシートの間の少なくとも一部に介装される。より具体的には、吸収体は少なくとも股下部に介装され、この吸収体が前身頃や後身頃にまで及んでいてもよい。
【００５６】
吸収体は、その全体が親水性シートによって包み込まれていることが好ましい。このような構成は、吸収体からＳＡＰが漏洩することを防止し、吸収体に形状安定性を付与することができるという利点がある。
【００５７】
吸収体の形状については特に制限はないが、従来の使い捨ておむつ、その他の吸収性物品において使用される形状、例えば、矩形状、砂時計型、ひょうたん型、Ｔ字型等を挙げることができる。図１に示す本発明の使い捨ておむつ１は、吸収体１１として、砂時計型の吸収体を用いた例である。
【００５８】
なお、吸収体には、その表面側に（例えば、吸収体とトップシートとの間に）、尿や体液等の液体を拡散させるためのシート（セカンドシート）を付帯的に配置してもよい。このセカンドシートを付設すると、着用者の姿勢等に起因して、トップシート裏面側の空間が十分に形成されないような場合でも、尿や体液等の吸収速度が低下し難く、吸収速度の低下による尿や体液等の漏れを防止することが可能となる。
【００５９】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００６０】
［１−５］トップシート：
トップシートは、吸収体の表面（おむつの装着時において着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【００６１】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【００６２】
トップシートは単一のシート材によって構成されていてもよいが、複数のシート材によって構成されていてもよい。例えば、吸収体の表面部に配置されるトップシートと、サイドフラップの部分に配置されるトップシートとを異なるシートによって構成する形態もよく利用される。例えば、おむつの中央部には液透過性材料からなるトップシート（センターシート）を配置し、おむつのサイドフラップ部分には液の透過に対して抵抗性を示す通気撥水性材料からなるトップシート（サイドシート）を配置する形態がよく利用される。
【００６３】
［１−６］バックシート：
バックシートは、吸収体の裏面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【００６４】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００６５】
なお、バックシートには、その外表面側にシート材（カバーシート）を貼り合わせてもよい。このカバーシートは、バックシートを補強し、バックシートの手触り（触感）を良好なものとするために用いられる。
【００６６】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００６７】
［１−７］吸収性本体：
本発明の使い捨ておむつにおいては、トップシート、バックシート及び吸収体を、吸収・保持機能を担う「吸収性本体」という一つの部材として構成し、これとは別個に製造された外装部材と接合することにより使い捨ておむつを構成する。この吸収性本体は、吸収体の表面側にトップシート、裏面側にバックシートが配置されたものであり、トップシートとバックシートとの間に吸収体が介装された構造となっている。例えば、図１〜図３に示す使い捨ておむつ１は、トップシート１２とバックシート１３の間に吸収体１１を挟み込み、吸収体１１の周縁部を封着することによって、トップシート１２とバックシート１３との間に吸収体１１が介装された構造の吸収性本体９を構成した例である。
【００６８】
吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。吸収性本体は、例えば、ホットメルト接着剤等を用いて、外装部材に対して固定することができる。
【００６９】
［１−８］腰周り伸縮材：
腰周り伸縮材は、後身頃の腰周り方向に沿って配置された伸縮材である。図１に示すように、腰周り伸縮材１６を配置することによって、腰周りに伸縮性に富むギャザー（タミーギャザー）を形成することができる。このタミーギャザーにより、トイレでの排泄の際等には、通常のパンツと同様におむつを膝付近まで下げて対応することができるだけでなく、着用者へのフィット性が良好となり、おむつのずれ下がりを有効に防止することができる。また、腰周り方向Ｘに沿って配置された腰周り伸縮材１６により、ウエスト開口部には、伸縮性に富むキャザー（ウエストギャザー）が形成される。このウエストギャザーにより、ウエスト部分の隙間が形成され難くなり、ウエスト部分からの尿漏れを有効に防止することができる。
【００７０】
本発明の使い捨ておむつに用いられる腰周り伸縮材は、ギャザーの収縮の程度等を勘案した上で、構成材料、その材料の伸長率、固定時の伸長状態等を決定すればよい。具体的な伸縮材としては、従来の使い捨ておむつで使用されてきた伸縮材を好適に用いることができる。例えば、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を好適例として挙げることができる。
【００７１】
腰周り伸縮材を構成する伸縮材は、十分な伸縮力を作用させるため、伸長状態で固定することが好ましい。例えば、伸縮材が天然ゴムや合成ゴムである場合には、１２０〜４００％の伸長状態で固定することが好ましく、２００〜３００％の伸長状態で固定することがより好ましい。このような範囲の伸長状態で固定することにより、十分な伸縮力を作用させることが可能となる。
【００７２】
上記した腰周り伸縮材は、通常、複数の伸縮材が腰周り方向に沿って配置されている。このような複数の腰周り伸縮材は、それぞれの材質や太さや伸長率等は同一であってもよいが、異なっていてもよい。例えば、図１に示すように、ウエスト開口部近傍に配置する腰周り伸縮材１６ｂと、それより股下側の腰部に配置する腰周り伸縮材１６ａとの太さや伸長率を異なるようにしてもよい。例えば、ウエスト開口部近傍においては、ウエスト開口部に隙間が生じないような伸縮材を選択し、それより股下側の腰部にかけては、フィット性が高く、おむつのすれ落ちを防止することができるような伸縮材を選択する。ウエスト開口部よりも股下側の腰部に配置する腰周り伸縮材１６ａ（以下、第一の腰周り伸縮材ということがある）が、上記したタミーギャザーを形成し、一方、ウエスト開口部近傍に配置する腰周り伸縮材１６ｂ（以下、第二の腰周り伸縮材ということがある）が、上記したウエストギャザーを形成する。
【００７３】
前記のような伸縮材は、おむつの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００７４】
［１−９］立体ギャザー：
着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【００７５】
立体ギャザーの構成は、従来の使い捨ておむつ、その他の吸収性物品に使用される構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。
【００７６】
立体ギャザーは、吸収性本体のトップシートやバックシートを折り返すことにより形成することもできるし、これらとは全く別個のシート材を貼り合わせて形成することもできる。例えば、図１〜図３に示す使い捨ておむつ１は、トップシート１２やバックシート１３とは全く別個のシート材３２（３２ａ，３２ｂ）の端部（立体ギャザー２９ａ，２９ｂの上端縁３４に相当する側の端部）を折り返し、その折り返し部分に２本の立体ギャザー伸縮材３６ａ，３６ｂないしは立体ギャザー伸縮材３６ｃ，３６ｄを挟み込むように配置して一対の立体ギャザー２９（２９ａ，２９ｂ）を形成した例である。
【００７７】
この立体ギャザーは、股下部からの漏れを防止するため、少なくとも股下部に形成されていればよいが、前身頃や後身頃に形成されていてもよい。例えば、図１に示す使い捨ておむつ１は、おむつの長手方向に沿って、股下部３から前身頃２と後身頃４の双方にかけて連続的に、一対の立体ギャザー２９（２９ａ，２９ｂ）が形成された例を示すものである。また、立体ギャザーは、少なくとも一対形成することが好ましく、二対以上形成してもよい。
【００７８】
立体ギャザーはおむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。例えば、図１に示す使い捨ておむつ１は、立体ギャザー２９（２９ａ，２９ｂ）を内倒しギャザーとした例である。
【００７９】
［１−１０］その他の伸縮材：
本発明の使い捨ておむつにおいては、その他の伸縮材として、脚周り伸縮材を配置することが好ましい。
【００８０】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。なお、脚周り伸縮材は略脚周りに配置されていればよい。例えば、脚周りに沿って配置されていてもよいが、外装部材における後身頃側の側縁４ａ，４ｂに沿ってオメガループ状軌跡により連続的に配置されていてもよい。この際、吸収性本体を横切る形となるが、好ましくは、吸収性本体を横切った部分の脚周り伸縮材は、切断によってスナップバックされて応力を失うような形状に配置されていることが好ましい。更に、股下部の脚周り伸縮材は吸収性本体の側縁に沿って配置されていることが好ましい。例えば、図１に示すように、外装部材２０における後身頃側の側縁４ａ，４ｂに沿って配置された脚周り伸縮材（第一の脚周り伸縮材４０ａ）と吸収性本体９に配置された脚周り伸縮材（第二の脚周り伸縮材４０ｂ）とを交差させることで、臀部から股下部まで連続した脚周り伸縮材４０を配置することができる。
【００８１】
外装部材に配置された脚周り伸縮材（第一の脚周り伸縮材）と吸収性本体に配置された脚周り伸縮材（第二の脚周り伸縮材）は、伸縮材の種類、本数、太さ、伸長率等が同一のものであってもよいが、異なるものであってもよい。異なるものである場合には、股下部からの漏れを防止すべく、股下部に相当する吸収性本体に配置された第二の脚周り伸縮材の応力が大きくなるように構成することが好ましい。
【００８２】
なお、図１〜図３に示す使い捨ておむつ１は、ウエスト開口部よりも股下側の腰部には複数本の第一の腰周り伸縮材１６ａを配設し、ウエスト周り開口部２７の周縁にはウエスト周り開口部２７を取り囲むように複数本の第二の腰周り伸縮材１６ｂを配置し、脚周り開口部２６ａ，２６ｂの周縁には複数本の脚周り伸縮材４０を配置した例である。なお、図１〜図３に示す使い捨ておむつ１においては、脚周り伸縮材４０が、後身頃４から股下部３にかけて配置された複数本の後身頃側脚周り伸縮材４０ａと、股下部３から前身頃２にかけて配置された複数本の前身頃側脚周り伸縮材４０ｂとから構成されている。
【００８３】
これらの伸縮材については、既に述べた腰周り伸縮材と同様の構成を採用することができる。そして、ギャザーの収縮の程度等を勘案した上で、構成材料、その材料の伸長率、固定時の伸長状態等を決定すればよい。
【００８４】
［１−１１］外装部材：
外装部材は、着用者の身体を被包するための装着機能を担う部材であり、おむつを構成する前身頃、股下部及び後身頃の各部の少なくとも一部を形成するシート状の部材である。図１に示す使い捨ておむつ１においては、外装部材２０が、おむつの後身頃４を形成しており、前身頃及び股下部は吸収性本体９によって形成されている。なお、本発明の使い捨ておむつに用いられる外装部材は、後身頃とともに、股下部や前身頃を形成するシート状の部材であってもよい。
【００８５】
本発明の使い捨ておむつにおいては、着用者の排泄物を吸収し、保持する吸収・保持機能については、専ら吸収性本体が果たすことになるので、外装部材を構成する材料として液不透過性材料を用いる必要はない。外装部材を構成する材料としては、織布、不織布等を挙げることができる。中でも、ポリエチレン、ポリプロピレン、ポリエステル等の熱可塑性樹脂からなる乾式不織布、湿式不織布を用いることが好ましい。具体的には、例えば、スパンボンド、ＳＭＳ、エアースルー不織布等を挙げることができる。特に、スパンボンドは強度が高いため好適に用いることができる。また、エアースルー不織布は手触り感に優れていることから、外装部材の表面（外側）の素材としてエアースルー不織布を用いることもできる。
【００８６】
そして、外装部材は、腰周り伸縮材や脚周り伸縮材等を挟み込んだ状態で固定するために、２枚以上の不織布を貼り合わせて構成されることが多い。例えば、図１〜図３に示す使い捨ておむつ１は、外装部材２０を２枚の不織布から構成し、その２枚の不織布の間に腰周り伸縮材１６、及び脚周り伸縮材４０ａを挟み込み固定し、更に、吸収性本体９の端部を別の不織布（抑えシート３０）で抑えて固定した例である。
【００８７】
［２］本発明の使い捨ておむつの着用方法：
本発明の使い捨ておむつを着用する際には、まず、図１に示すような、展開している使い捨ておむつ１の後身頃４を、着用者の背側（身体後方）にあてがい、その後、図４に示すように、股下部３を着用者の股下を通して、前身頃２を着用者の腹側（身体前方）に持ち上げる。
【００８８】
その後、図５に示すように、後身頃４の左右の側縁４ａ，４ｂを着用者の脇腹を経由して腹側まで移動させ、前身頃２に形成された止着領域１５に、左右の側縁４ａ，４ｂから延出された止着テープ１４を止着する。この際、着用者の体形に応じて、止着テープ１４の止着位置を調整し、着用者の腹部が圧迫されないようにする。ここで、図４及び図５は、図１に示す使い捨ておむつの着用手順を説明するための正面図である。
【００８９】
止着テープ１４を止着領域１５に止着した後、図２に示すように、前身頃２の端縁２ａから延出されたカバー１７を、股下部３方向に折り返して止着テープ１４を被覆する。このようにして本発明の使い捨ておむつ１を着用することができる。上記方法で着用する場合には、衣服を全て脱がずとも着脱が可能である。
【００９０】
なお、本発明の使い捨ておむつ１においては、着用者の体にあてがわずに上記した方法でパンツ型のおむつを予め形成し、通常のパンツを履くのと同様の方法によって、脚周り開口部２６ａ，２６ｂ（図２参照）にそれぞれの脚を通して着用することも可能である。
【００９１】
また、着用した使い捨ておむつ１を脱ぐ際には、図４及び図５に示した上記着用方法と逆の順番で、カバー１７と止着テープ１４とを順次引き剥がすことによって、衣類を全て脱がなくとも取り外すことができる。勿論、通常のパンツを脱ぐのと同様に、おむつを引き下げ、脚周り開口部２６ａ，２６ｂ（図２参照）からそれぞれの脚を引き抜いて脱ぐことも可能である。
【００９２】
［３］使い捨ておむつの製造方法：
以下、本発明の使い捨ておむつの製造方法を、図１に示す使い捨ておむつ１を製造する場合の例で説明する。
【００９３】
［３−１］吸収性本体連続体の製造：
長尺状のバックシート１３の上面に、親水性シートに包まれた吸収体１１を間隔を隔てて複数配置し、更にその上面に長尺状のトップシート１２を配置する。次いで、吸収体１１の周縁部をトップシート１２とバックシート１３とで挟み込むように封着することによって吸収性本体９が連続して配置された吸収性本体連続体を得る。この際、吸収性本体の股下部に相当する部位に、脚周り伸縮材４０ｂ（第二の脚周り伸縮財）を配置してもよい。
【００９４】
［３−２］立体ギャザーの製造：
シート材３２ａ（３２ｂ）の一方の端部を折り返し、その折り返し部分に、２本の立体ギャザー伸縮材３６ａ（３６ｂ）を挟み込んだ状態で貼り合わせることによって、立体ギャザー２９ａ（２９ｂ）を得る。
【００９５】
［３−３］吸収性本体の製造及び立体ギャザーの付設：
吸収性本体連続体の側縁、即ち、トップシート１２とバックシート１３との貼り合わせ部分を外側から包み込むように、立体ギャザー２９ａ，２９ｂを貼り合わせて、立体ギャザーを配置した吸収性本体連続体を得、この吸収性本体連続体における吸収体が配置されていない部分で個別に切り離して、立体ギャザーが付設された吸収性本体９を得る。
【００９６】
［３−４］止着領域の付設：
上記した吸収性本体９に、止着テープ１４を止着する止着領域１５を付設する。止着領域１５としては、例えば、止着テープ１４の第一止着部２１が、メカニカルファスナーのフック材である場合には、メカニカルファスナーのループ材からなるフロントパッチ等を用いることができる。なお、吸収性本体９のバックシート１３側の面を止着領域として用いる場合には、別途吸収性本体９に止着領域１５を付設する必要はない。
【００９７】
［３−５］カバーの付設：
上記した吸収性本体９によって形成される前身頃２の端縁２ａに、止着領域１５に止着した止着テープ１４を被覆するためのカバー１７を付設する。なお、図１に示す使い捨ておむつ１は、カバー１７が前身頃２の端縁２ａから延出され、股下部３方向に折り返して止着テープ１４を被覆するものであるため、上記カバー１７を前身頃２の端縁２ａに付設しているが、例えば、図６に示す使い捨ておむつ１を製造する場合には、カバー１７を、前身頃２の止着領域１５より股下部３側に付設し、また、図７示すような使い捨ておむつ１を製造する場合には、カバー１７を、前身頃２の左右方向の中央部に少なくとも２つ付設する。
【００９８】
［３−６］外装部材連続体の製造：
まず、長尺状の不織布を２枚用意し、このうちの１枚の不織布の上面に、腰周り伸縮材１６ａ，１６ｂ及び脚周り伸縮材４０ａ（第一の脚周り伸縮材）を配置し接着固定する。そして、この上面に、更にもう１枚の不織布を積層し固定することにより、２枚の不織布の間に、腰周り伸縮材１６ａ，１６ｂ及び脚周り伸縮材４０ａが介装された外装部材が複数連続した長尺状の外装部材連続体を得る。外装部材連続体を構成する各外装部材は、おむつを構成する前身頃、股下部及び後身頃の各部の少なくとも一部を形成するものであり、図１に示す使い捨ておむつ１は、おむつの後身頃４を形成するものである。
【００９９】
［３−７］止着テープの付設：
上記した外装部材連続体を構成する各外装部材における後身頃４の左右の側縁４ａ，４ｂに、後身頃４と前身頃２とを固定する第一止着部２１を有する止着テープ１４を付設する。止着テープ１４は、基材２５の一方の表面に、止着領域に付着可能な第一止着部２１（例えば、メカニカルファスナーのフック材）を配設し、他方の表面に第二止着部２２（例えば、メカニカルファスナーのフック材）を配設する。なお、止着テープは、テープ部分を折り畳んだ状態で、テープ根元部分を外装部材連続体に配置し、接合固定する。
【０１００】
［３−８］使い捨ておむつの製造：
外装部材連続体のそれぞれの股下部近傍に、止着領域１５及びカバー１７を付設した吸収性本体９を配置し、吸収性本体９の端部を抑えるように抑えシート３０を配置して固定する（図１に示す使い捨ておむつ１においては、後身頃４側に抑えシート３０を配置して吸収性本体９の端部を固定している）。この後、脚周り開口部を形成するために、脚周り伸縮材４０の側部の外装部材連続体を構成する不織布を切除する。更に、外装部材連続体の止着テープ１４を配置した位置にて、それぞれの外装部材２０を切り離し、個々の使い捨ておむつを製造する。このようにして、図１〜図３に示す使い捨ておむつ１を製造することができる。
【産業上の利用可能性】
【０１０１】
本発明の使い捨ておむつは、乳幼児用、或いは介護を必要とする高齢者や障害者等の成人用のおむつとして好適に利用することができる。そして、本発明の使い捨ておむつは、衣服を全て脱がずとも着脱が可能であるとともに、着用したままでおむつの上げ下げを容易に行うことができ、更に、おむつの上げ下げや、衣服等の着脱を行ったとしても、おむつを固定する止着部分が剥がれることのないため、通常のパンツを履いているような感覚でおむつを着用することができる。
【図面の簡単な説明】
【０１０２】
【図１】本発明の使い捨ておむつの一の実施形態を示す平面図であり、おむつの吸収性本体側から見た状態を示す図である。
【図２】図１に示す使い捨ておむつを着用した状態を示す正面図である。
【図３】本発明の使い捨ておむつの一の実施形態を示す概略断面図であり、図１に示す使い捨ておむつをＡ−Ａ’線に沿って切断した断面を示す概略断面図である。
【図４】図１に示す使い捨ておむつの着用手順を説明するための正面図である。
【図５】図１に示す使い捨ておむつの着用手順を説明するための正面図である。
【図６】本発明の使い捨ておむつの他の実施形態を着用した状態を示す正面図である。
【図７】本発明の使い捨ておむつの更に他の実施形態を着用した状態を示す正面図である。
【図８】本発明の使い捨ておむつの他の実施形態を示す一部拡大側面図であり、止着テープを拡大して示す図である。
【図９】従来のパンツ型おむつを示す概略斜視図であり、おむつの前方から見た状態を示す図である。
【図１０】従来のテープ型おむつを示す平面図であり、おむつの吸収性本体側から見た状態を示す図である。
【図１１】従来の使い捨ておむつを前方から見た状態を示す正面図である。
【符号の説明】
【０１０３】
１：使い捨ておむつ、２：前身頃、２ａ：前身頃の端縁、３：股下部、４：後身頃、４ａ，４ｂ：側縁（後身頃の側縁）、９：吸収性本体、１１：吸収体、１２：トップシート、１３：バックシート、１４：止着テープ、１５：止着領域（第一止着領域）、１６：腰周り伸縮材、１６ａ：腰周り伸縮材（第一の腰周り伸縮材）、１６ｂ：腰周り伸縮材（第二の腰周り伸縮材）、１７：カバー、２０：外装部材、２１：第一止着部、２２：第二止着部、２３：摘み部、２４：カバー固定用止着部、２５：基材（止着テープ用の基材）、２６ａ，２６ｂ：脚周り開口部、２７：ウエスト周り開口部、２８：第二止着領域、２９，２９ａ，２９ｂ：立体ギャザー、３０：抑えシート、３１：折り返し線、３２，３２ａ，３２ｂ：シート材、３４：上端縁、３６ａ，３６ｂ，３６ｃ，３６ｄ：立体ギャザー伸縮材、４０：脚周り伸縮材、４０ａ：脚周り伸縮材（第一の脚周り伸縮材）、４０ｂ：脚周り伸縮材（第二の脚周り伸縮材）、１００，１０１，１０２：使い捨ておむつ、１０２：前身頃、１０４：股下部、１０６：後身頃、１０６ａ，１０６ｂ：側縁、１０８：ウエスト周り開口部、１０９：止着テープ、１１０：脚周り開口部、１１２：ヒートシール部、１１８：トップシート、１２０：バックシート、１２２：吸収体、１４２：前腹部、１４３：後背部、１４４：延出部、１４７：脇線部、Ｘ：腰周り方向。
【図１】
2008061871.tif 000003
【図２】
2008061871.tif 000004
【図３】
2008061871.tif 000005
【図４】
2008061871.tif 000006
【図５】
2008061871.tif 000007
【図６】
2008061871.tif 000008
【図７】
2008061871.tif 000009
【図８】
2008061871.tif 000010
【図９】
2008061871.tif 000011
【図１０】
2008061871.tif 000012
【図１１】
2008061871.tif 000013